(57)【要約】【課題】接続が不要になった装置同士の接続を容易に解除する技術を提供する。【解決手段】同一の被写体を含む画像データを有する第１の撮影装置と第２の撮影装置との接続を制御する情報処理装置であって、第１の撮影装置又は第２の撮影装置において同一の被写体を含む画像データが削除された場合に、第１の撮影装置又は第２の撮影装置から削除通知を受信する受信部と、削除通知に基づいて第１の撮影装置と第２の撮影装置との接続を解除する制御部とを備える。【選択図】  図１
2017017651.tif 000002
【特許請求の範囲】
【請求項１】
同一の被写体を含む画像データを有する第１の撮影装置と第２の撮影装置との接続を制御する情報処理装置であって、
前記第１の撮影装置又は前記第２の撮影装置において前記同一の被写体を含む画像データが削除された場合に、前記第１の撮影装置又は前記第２の撮影装置から削除通知を受信する受信手段と、
前記削除通知に基づいて前記第１の撮影装置と前記第２の撮影装置との接続を解除する制御手段と、
を備えることを特徴とする情報処理装置。
【請求項２】
前記第１の撮影装置で撮影された第１の画像データと、前記第２の撮影装置で撮影された第２の画像データとを取得する取得手段をさらに備え、
前記制御手段は、前記第１の画像データに含まれる被写体と、前記第２の画像データに含まれる被写体とが同一の被写体を示す場合に、前記第１の撮影装置と前記第２の撮影装置とを接続するための接続指示を送信することを特徴とする請求項１に記載の情報処理装置。
【請求項３】
前記制御手段は、前記第１の撮影装置と前記第２の撮影装置とが接続されたことを示す接続開始通知を受信した場合、監視対象とする画像データの情報を、前記接続開始通知を送信した撮影装置へ通知することを特徴とする請求項２に記載の情報処理装置。
【請求項４】
前記制御手段は、前記受信手段により前記削除通知を受信した場合、前記第１の撮影装置と前記第２の撮影装置との接続を解除するための接続解除指示を送信することを特徴とする請求項１乃至３の何れか１項に記載の情報処理装置。
【請求項５】
前記制御手段は、前記受信手段により前記第１の撮影装置又は前記第２の撮影装置の一方から他方へ前記同一の被写体が含まれる画像データが送信されたことを示す送信通知を受信した場合、前記第１の撮影装置と前記第２の撮影装置との接続を解除するための接続解除指示を送信することを特徴とする請求項１乃至４の何れか１項に記載の情報処理装置。
【請求項６】
前記受信手段により前記第１の撮影装置又は前記第２の撮影装置の少なくとも一方から画像データが編集されたことを示す編集通知を受信した場合に、前記編集された画像データを取得する第２の取得手段をさらに備え、
前記制御手段は、前記編集された画像データを用いて、前記第１の撮影装置と前記第２の撮影装置との接続を制御することを特徴とする請求項１乃至５の何れか１項に記載の情報処理装置。
【請求項７】
前記制御手段は、前記編集された画像データに編集前の画像データに含まれている前記同一の被写体が含まれていない場合、前記第１の撮影装置と前記第２の撮影装置との接続を解除するための接続解除指示を送信することを特徴とする請求項６に記載の情報処理装置。
【請求項８】
同一の被写体を含む画像データを有する他の撮影装置と接続可能な撮影装置であって、
前記同一の被写体を含む画像データを有する前記撮影装置から当該画像データが削除された場合、情報処理装置へ削除通知を送信する送信手段と、
前記削除通知に基づく解除指示を前記情報処理装置から受信する受信手段と、
前記解除指示に基づいて前記他の撮影装置との接続を解除する接続処理手段と、
を備えることを特徴とする撮影装置。
【請求項９】
同一の被写体を含む画像データを有する第１の撮影装置と第２の撮影装置との接続を制御する情報処理装置の制御方法であって、
受信手段が、前記第１の撮影装置又は前記第２の撮影装置において前記同一の被写体を含む画像データが削除された場合に、前記第１の撮影装置又は前記第２の撮影装置から削除通知を受信する工程と、
制御手段が、前記削除通知に基づいて前記第１の撮影装置と前記第２の撮影装置との接続を解除する制御工程と、
を有することを特徴とする情報処理装置の制御方法。
【請求項１０】
同一の被写体を含む画像データを有する他の撮影装置と接続可能な撮影装置の制御方法であって、
送信手段が、前記同一の被写体を含む画像データを有する前記撮影装置から当該画像データが削除された場合、情報処理装置へ削除通知を送信する送信工程と、
受信手段が、前記削除通知に基づく解除指示を前記情報処理装置から受信する受信工程と、
接続処理手段が、前記解除指示に基づいて前記他の撮影装置との接続を解除する接続処理工程と、
を有することを特徴とする撮影装置の制御方法。
【請求項１１】
請求項９に記載の情報処理装置の制御方法の各工程をコンピュータに実行させるためのプログラム。
【請求項１２】
請求項１０に記載の撮影装置の制御方法の各工程をコンピュータに実行させるためのプログラム。
【発明の詳細な説明】
【技術分野】
【０００１】
本発明は、情報処理装置、撮影装置、それらの制御方法およびプログラムに関する。
【背景技術】
【０００２】
近年、通信機能を有する装置が増加し、装置間でデータ交換をおこなったり装置連携の制御メッセージのやりとりを行ったりするなど装置間通信の機会が増大している。しかし、装置間通信を実行するためには、それぞれの装置で通信相手の選択や接続ネットワークに応じた通信パラメータの設定などを行う必要があり手間がかかる。その手間を削減するため、特許文献１のように画像データの被写体を判別し相手装置へ自動で接続する技術が開示されている。これにより、同一の被写体を撮影するだけで複数の装置を自動的に接続させることができる。
【先行技術文献】
【特許文献】
【０００３】
【特許文献１】特開２００９−１２４４３８号公報
【発明の概要】
【発明が解決しようとする課題】
【０００４】
しかしながら、特許文献１の技術では、装置間でのデータ交換や装置連携の制御メッセージのやりとりが終了して接続が不要になっても、自動的に接続解除されない。そのため、ユーザが手動操作により接続解除を行う必要があり、手間がかかったり接続解除を忘れてしまったりといった不具合があった。
【０００５】
本発明は、上記の課題に鑑みてなされたものであり、接続が不要になった装置同士の接続を容易に解除する技術を提供することを目的とする。
【課題を解決するための手段】
【０００６】
上記の目的と達成するために、本発明の一態様による情報処理装置は以下の構成を備える。即ち、
同一の被写体を含む画像データを有する第１の撮影装置と第２の撮影装置との接続を制御する情報処理装置であって、
前記第１の撮影装置又は前記第２の撮影装置において前記同一の被写体を含む画像データが削除された場合に、前記第１の撮影装置又は前記第２の撮影装置から削除通知を受信する受信手段と、
前記削除通知に基づいて前記第１の撮影装置と前記第２の撮影装置との接続を解除する制御手段と、
を備えることを特徴とする。
【発明の効果】
【０００７】
本発明によれば、接続が不要になった装置同士の接続を容易に解除することが可能となる。
【図面の簡単な説明】
【０００８】
【図１】本発明の一実施形態に係る情報処理システムの構成例を示す図。
【図２】（ａ）本発明の一実施形態に係る情報処理装置の機能ブロック図、（ｂ）本発明の一実施形態に係る撮影装置の機能ブロック図。
【図３】本発明の一実施形態に係る情報処理システムにおけるシーケンス図。
【図４】本発明の一実施形態に係る撮影装置の画像データ監視処理の手順を示すフローチャート。
【図５】本発明の一実施形態に係る撮影装置の接続処理および接続解除処理の手順を示すフローチャート。
【図６】本発明の一実施形態に係る撮影装置の撮影通知送信処理および画像データ送信処理の手順を示すフローチャート。
【図７】本発明の一実施形態に係る撮影装置の監視情報受信処理の手順を示すフローチャート。
【図８】本発明の一実施形態に係る撮影装置から撮影通知を受信した時の情報処理装置の処理手順を示すフローチャート。
【図９】本発明の一実施形態に係る撮影装置から削除通知を受信した時の情報処理装置の処理手順を示すフローチャート。
【図１０】本発明の一実施形態に係る撮影装置から送信通知を受信した時の情報処理装置の処理手順を示すフローチャート。
【図１１】本発明の一実施形態に係る撮影装置から編集通知を受信した時の情報処理装置の処理手順を示すフローチャート。
【図１２】本発明の一実施形態に係る撮影装置の表示例を示す図。
【発明を実施するための形態】
【０００９】
以下、添付の図面を参照しながら、本発明の実施の形態を詳述する。
【００１０】
（実施形態）
本実施形態では、第１の撮影装置で撮影された第１の画像データに含まれる被写体の情報と、第２の撮影装置で撮影された第２の画像データに含まれる被写体の情報とに基づいて、２つの撮影装置同士の接続を制御する例を説明する。各画像データに同一の被写体が写っていれば、撮影装置同士を接続させる。また、同一の被写体が写っている画像データが撮影装置において削除された場合、撮影装置同士の接続を解除する。
【００１１】
＜１．情報処理システムの構成＞
図１は、本発明の一実施形態に係る情報処理システムの構成例を示す図である。図１において、１０１は情報処理装置、１０２と１０３と１０４は相互に接続可能な撮影装置、１０５は被写体である。撮影装置１０２及び撮影装置１０３が被写体１０５を撮影すると、情報処理装置１０１が撮影装置１０２及び撮影装置１０３で生成された画像データをそれぞれから取得して、画像データに写っている被写体同士を比較する。比較の結果、各画像データに同一の被写体１０５が写っていると判定された場合は、情報処理装置１０１は、撮影装置１０２と撮影装置１０３へ接続指示を送信する。接続指示を受信した撮影装置１０２及び撮影装置１０３は、相互に接続する動作を実行する。
【００１２】
接続確立後、撮影装置１０２または撮影装置１０３で同一の被写体１０５が写っている画像データがユーザ操作により削除された場合は、画像データが削除された撮影装置が、画像データが削除されたことを示す情報を情報処理装置１０１へ通知する。通知を受けた情報処理装置１０１は接続解除の判定を行い、撮影装置１０２及び撮影装置１０３へ接続解除指示を送信する。接続解除指示を受信した撮影装置１０２及び撮影装置１０３は接続解除動作を実行する。一連の動作は、撮影装置が３台以上の場合も同様に実行される。ただし、接続解除の動作については、画像データが削除された撮影装置のみ接続を解除してもよいし、関連する全ての撮影装置の接続を解除してもよい。
【００１３】
＜２．情報処理装置及び撮影装置の機能構成＞
続いて、情報処理装置及び撮影装置の機能構成について説明する。図２（ａ）は、情報処理装置１０１の機能ブロックの構成例を示す図である。図２（ａ）において、２０１は、ネットワーク等を利用して撮影装置１０２〜１０４と接続する通信部である。２０２は、撮影装置１０２〜１０４から画像データを取得するデータ取得部である。２０３は、撮影装置１０２〜１０４から受信した画像データを保存するデータ保存部である。２０４は、各画像データ中の被写体を比較するデータ比較部である。２０５は、画像データ中の被写体を認識するための情報を管理する認識情報管理部である。
【００１４】
２０６は、接続の判定と撮影装置１０２〜１０４へ接続指示を行う接続指示部である。２０７は、画像データ中の被写体を判定する被写体判定部である。２０８は、接続解除の判定と撮影装置１０２〜１０４へ接続解除の指示を行う解除指示部である。２０９は、撮影装置１０２〜１０４の接続状態を管理する状態管理部である。２１０は、監視する画像データの情報を監視リストにより管理するデータ監視部である。監視リストはデータ保存部２０３に保存されていてもよい。２００は、情報処理装置１０１の各処理部を接続するデータバスである。各処理部は、不図示のＣＰＵ等がメモリに格納されたコンピュータプログラムを読み出して実行することにより実現されるものとする。
【００１５】
図２（ｂ）は、撮影装置１０２〜１０４の機能ブロックの構成例を示す図である。図２（ｂ）において、２５１はネットワーク等を利用して他の撮影装置又は情報処理装置１０１と接続する通信部である。２５２は、撮影を行って画像データを生成する撮影部である。２５３は、監視中の画像データが削除されたか否かを判定する削除判定部である。２５４は、監視中の画像データが、接続中の他の機器に送信されたか否かを判定する送信判定部である。２５５は、監視中の画像データが編集されたか否かを判定する編集判定部である。
【００１６】
２５６は、他の撮影装置との接続処理及び接続解除処理を制御する接続処理部である。２５７は、監視対象となる画像データの情報を監視リストにより管理するデータ監視部である。２５８は、画像データを保存したり、監視リストの情報を保存したりするデータ保存部である。２５０は、撮影装置の各処理部を接続するデータバスである。各処理部は、不図示のＣＰＵ等がメモリに格納されたコンピュータプログラムを読み出して実行することにより実現されるものとする。
【００１７】
＜３．情報処理システムのシーケンス＞
次に、情報処理装置及び各撮影装置の間で行われる一連の処理の内容について説明する。図３は、本発明の一実施形態に係る情報処理システムにおけるシーケンスを示した図である。図３において、１０１は図１の情報処理装置、１０２，１０３は図１の撮影装置である。
【００１８】
Ｍ３０１では、撮影装置１０２が、情報処理装置１０１へ撮影装置の登録を行うためのメッセージを送信する。Ｍ３０２では、撮影装置１０３が、情報処理装置１０１へ撮影装置の登録を行うためのメッセージを送信する。Ｍ３０３では、撮影装置１０２が撮影を行い、画像データを生成する。Ｍ３０４では、撮影装置１０２が、情報処理装置１０１へ撮影通知のメッセージを送信する。Ｍ３０５では、撮影装置１０２が、情報処理装置１０１へ画像データを送信する。Ｍ３０６では、情報処理装置１０１が、撮影装置１０２から受信した画像データを保存する。
【００１９】
Ｍ３０７では、撮影装置１０３が撮影を行い、画像データを生成する。Ｍ３０８では、撮影装置１０３が、情報処理装置１０１へ撮影通知のメッセージを送信する。Ｍ３０９では、撮影装置１０３が、情報処理装置１０１へ画像データを送信する。Ｍ３１０では、情報処理装置１０１が、撮影装置１０３から受信した画像データを保存する。
【００２０】
Ｍ３１１では、情報処理装置１０１が、撮影装置１０２及び撮影装置１０３のそれぞれから受信した画像データ同士を比較して、同じ被写体が写っているかどうか判定する。同じ被写体が写っていると判定された場合、Ｍ３１２で、情報処理装置１０１は、撮影装置１０２に対して撮影装置１０３と接続するように接続指示のメッセージを送信する。Ｍ３１３では、情報処理装置１０１から接続指示のメッセージを受信した撮影装置１０２が接続の準備を行う。
【００２１】
また、Ｍ３１４では、情報処理装置１０１が、撮影装置１０３に対して撮影装置１０２と接続するように接続指示のメッセージを送信する。Ｍ３１５では、情報処理装置１０１から接続指示のメッセージを受信した撮影装置１０３が接続の準備を行う。Ｍ３１６では、撮影装置１０２と撮影装置１０３との間で接続確立のメッセージが取り交わされる。
【００２２】
接続が確立されると、Ｍ３１７で、撮影装置１０２が、接続開始通知のメッセージを情報処理装置１０１へ送信する。Ｍ３１８では、情報処理装置１０１が、接続の判定に利用した画像データのＩＤを監視対象データとして撮影装置１０２へ通知する。同様に、Ｍ３１９では、撮影装置１０３が、接続開始通知のメッセージを情報処理装置１０１へ送信する。
【００２３】
Ｍ３２０では、情報処理装置１０１が、接続の判定に利用した画像データのＩＤを監視対象データとして撮影装置１０３へ通知する。Ｍ３２１では、撮影装置１０２が、Ｍ３１８で受信した監視対象データがユーザ操作によって削除されたことを検出する。Ｍ３２２では、撮影装置１０２が、情報処理装置１０１に対して監視対象データが削除されたことを示すメッセージを通知する。
【００２４】
Ｍ３２３では、情報処理装置１０１が、解除すべき接続が存在するかどうかを判定する。解除すべき接続が存在すると判定された場合、Ｍ３２４では、情報処理装置１０１が、撮影装置１０２へ接続解除を指示するメッセージを送信する。Ｍ３２５では、同様に情報処理装置１０１が、撮影装置１０３へ接続解除を指示するメッセージを送信する。
【００２５】
Ｍ３２６では、情報処理装置１０１から接続解除指示を受信した撮影装置１０２が接続解除の準備を行う。Ｍ３２７では、情報処理装置１０１から接続解除指示を受信した撮影装置１０３が接続解除の準備を行う。Ｍ３２８では、撮影装置１０２と撮影装置１０３とが接続解除のメッセージを取り交わす。Ｍ３２９では、撮影装置１０２が、接続解除完了の通知を情報処理装置１０１へ送信する。Ｍ３３０では撮影装置１０３が、接続解除完了の通知を情報処理装置１０１へ送信する。以上で図３のシーケンスが終了する。
【００２６】
＜４．撮影装置が実施する処理＞
続いて、図３のシーケンスに関連して撮影装置が実施する処理の詳細を説明する。図４は、本発明の一実施形態に係る撮影装置の画像データ監視処理の手順を示すフローチャートである。Ｓ４０１では、削除判定部２５３は、監視中の画像データが削除されたか否かを判定する。監視中の画像データが削除されたと判定された場合、Ｓ４０４へ進む。一方、監視中の画像データが削除されていないと判定された場合、Ｓ４０２へ進む。
【００２７】
Ｓ４０２では、送信判定部２５４は、監視中の画像データが、接続中の他の機器（本実施形態では別の撮影装置）に送信されたか否かを判定する。監視中の画像データが送信されたと判定された場合、Ｓ４０５へ進む。一方、監視中の画像データが送信されていないと判定された場合、Ｓ４０３へ進む。
【００２８】
Ｓ４０３では、編集判定部２５５は、監視中の画像データが編集されたか否かを判定する。監視中の画像データが編集されたと判定された場合、Ｓ４０６へ進む。一方、監視中の画像データが編集されていないと判定された場合、処理を終了する。
【００２９】
Ｓ４０４では、通信部２５１は、情報処理装置１０１へ削除通知を送信する。Ｓ４０５では、通信部２５１は、情報処理装置１０１へ送信通知を送信する。Ｓ４０６では、通信部２５１は、情報処理装置１０１へ編集通知を送信する。Ｓ４０７では、通信部２５１は、編集された画像データを情報処理装置１０１へ送信する。以上で図４の処理が終了する。
【００３０】
図５は、本発明の一実施形態に係る撮影装置の接続処理および接続解除処理の手順を示すフローチャートである。Ｓ５０１では、接続処理部２５６は、情報処理装置１０１から接続指示を受信したか否かを判定する。接続指示を受信したと判定された場合、Ｓ５０２へ進む。一方、接続指示を受信していないと判定された場合、受信するまで待機する。
【００３１】
Ｓ５０２では、接続処理部２５６は、Ｓ５０１で受信した接続指示の情報に基づいて接続処理を行う。Ｓ５０３では、通信部２５１は、接続開始を情報処理装置１０１へ通知する。Ｓ５０４では、通信部２５１は、情報処理装置１０１から監視する画像データのＩＤを受信する。Ｓ５０５では、図４に示した画像データ監視処理が実行される。
【００３２】
Ｓ５０６では、接続処理部２５６は、接続解除指示を受信したか否かを判定する。接続解除指示を受信したと判定された場合、Ｓ５０７へ進む。一方、接続解除指示を受信していないと判定された場合、Ｓ５０５に戻る。Ｓ５０７では、接続処理部２５６は、接続解除処理を実行する。Ｓ５０８では、通信部２５１は、接続解除処理の実行完了を情報処理装置１０１へ通知する。以上で図５の処理が終了する。
【００３３】
図６は、本発明の一実施形態に係る撮影装置の撮影通知送信処理および画像データ送信処理の手順を示すフローチャートである。Ｓ６０１では、撮影部２５２は、撮影を行って画像データを生成する。Ｓ６０２では、通信部２５１は、情報処理装置１０１へ撮影したことを通知する。Ｓ６０３では、通信部２５１は、Ｓ６０１で生成された画像データを情報処理装置１０１へ送信する。以上で図６の処理が終了する。
【００３４】
図７は、本発明の一実施形態に係る撮影装置の監視情報受信処理の手順を示すフローチャートである。Ｓ７０１では、データ監視部２５７は、監視する画像データを追加する監視情報を情報処理装置１０１から受信したか否かを判定する。監視する画像データを追加する監視情報が受信されたと判定された場合、Ｓ７０２へ進む。一方、監視する画像データを追加する監視情報が受信されていないと判定された場合、Ｓ７０３へ進む。Ｓ７０２では、データ監視部２５７は、データ保存部２５８に保存されている監視リストへ、監視する画像データのＩＤを追加登録する。
【００３５】
Ｓ７０３では、データ監視部２５７は、監視する画像データを削除する監視情報を情報処理装置１０１から受信したか否かを判定する。監視する画像データを削除する監視情報が受信されたと判定された場合、Ｓ７０４へ進む。一方、監視する画像データを削除する監視情報が受信されていないと判定された場合、Ｓ７０１に戻る。Ｓ７０４では、データ監視部２５７は、データ保存部２５８に保存されている監視リストから監視する画像データのＩＤを削除する。以上で図７の処理が終了する。
【００３６】
＜５．情報処理装置が実施する処理＞
同様に、図３のシーケンスに関連して情報処理装置が実施する処理の詳細を説明する。図８は、本発明の一実施形態に係る撮影装置から撮影通知を受信した時の情報処理装置１０１の処理手順を示すフローチャートである。Ｓ８０１では、通信部２０１は、撮影装置から撮影通知を受信したか否かを判定する。撮影通知を受信したと判定された場合、Ｓ８０２へ進む。一方、撮影通知を受信していないと判定された場合、受信するまで待機する。
【００３７】
Ｓ８０２では、データ取得部２０２は、撮影装置から画像データを受信する。Ｓ８０３では、データ比較部２０４は、既に受信されている画像データと、Ｓ８０２で受信した画像データとを比較し、同じ被写体が写っているかを判定する処理を行う。Ｓ８０４では、接続指示部２０６は、Ｓ８０３での比較処理の結果に基づいて、新たな接続指示が必要か否かを判定する。新たな接続指示が必要であると判定された場合、Ｓ８０６へ進む。一方、新たな接続指示が必要ではないと判定された場合、Ｓ８０５へ進む。
【００３８】
Ｓ８０５では、データ監視部２１０は、新たに監視を開始する画像データがあるか否かを判定する。Ｓ８０６では、接続指示部２０６は、撮影装置へ接続指示を送信する。Ｓ８０７では、データ監視部２１０は、新たに監視する画像データの情報を監視リストへ追加して、監視リストを更新する。Ｓ８０８では、通信部２０１は、監視する画像データについての監視情報を撮影装置へ送信する。以上で図８の処理が終了する。
【００３９】
図９は、本発明の一実施形態に係る撮影装置から削除通知を受信した時の情報処理装置の処理手順を示すフローチャートである。Ｓ９０１では、通信部２０１は、監視中の画像データが削除されたことを示す削除通知を撮影装置から受信したか否かを判定する。削除通知を受信したと判定された場合、Ｓ９０２へ進む。一方、削除通知を受信していないと判定された場合、受信するまで待機する。
【００４０】
Ｓ９０２では、データ監視部２１０は、撮影装置で削除された画像データの情報を監視リストから削除する。Ｓ９０３では、解除指示部２０８は、画像データの監視リストからの削除によって解除する必要のある接続があるか否かを判定する。解除すべき接続があると判定された場合、Ｓ９０４へ進む。一方、解除すべき接続がないと判定された場合、処理を終了する。Ｓ９０４では、解除指示部２０８は、接続を解除すべき該当する撮影装置に対して接続解除の指示を送信する。以上で図９の処理が終了する。
【００４１】
図１０は、本発明の一実施形態に係る撮影装置から送信通知を受信した時の情報処理装置の処理手順を示すフローチャートである。
【００４２】
Ｓ１００１では、通信部２０１は、撮影装置から送信通知を受信したか否かを判定する。送信通知を受信したと判定された場合、Ｓ１００２へ進む。一方、送信通知を受信していないと判定された場合、受信するまで待機する。
【００４３】
Ｓ１００２では、データ監視部２１０は、受信された送信通知に基づいて、撮影装置で送信された画像データの情報を監視リストへ追加する。Ｓ１００３では、データ監視部２１０は、接続に関連する画像データ全てが送信されたか否かを判定する。接続に関連する画像データとは、例えば、同一の被写体が写っている全ての画像データであってもよい。接続に関連する画像データ全てが送信されたと判定された場合、Ｓ１００４へ進む。一方、接続に関連する画像データ全てが送信されていないと判定された場合、処理を終了する。
【００４４】
Ｓ１００４では、解除指示部２０８は、Ｓ１００３で関連する画像データがすべて送信されたと判定された接続の接続解除指示を、該当する撮影装置へ送信する。接続先の撮影装置に対して、同一の被写体に関連する画像データが全て送信された場合、もはや撮影装置同士の接続の必要はなくなるからである。
【００４５】
このように、相互に接続された撮影装置の一方から他方へ同一の被写体が含まれる画像データが送信されたことを示す送信通知を、撮影装置から受信した場合、撮影装置間の接続を解除するための接続解除指示を送信する。なお、必ずしも全ての画像データが送信されていなくてもよい。１つでも画像データが送信された場合に接続解除指示を送信してもよい。また、所定の数の画像データが送信されてから一定時間経過した場合に接続解除指示を送信してもよい。以上で図１０の処理が終了する。
【００４６】
図１１は、本発明の一実施形態に係る撮影装置から編集通知を受信した時の情報処理装置１０１の処理手順を示すフローチャートである。Ｓ１１０１では、通信部２０１は、撮影装置から編集通知を受信したか否かを判定する。編集通知を受信したと判定された場合、Ｓ１１０２へ進む。一方、編集通知を受信していないと判定された場合、受信するまで待機する。Ｓ１１０２では、データ取得部２０２は、撮影装置から画像データを受信する。
【００４７】
Ｓ１１０３では、被写体判定部２０７は、Ｓ１１０２で受信した画像データに基づいて、画像中に接続判定に使用された被写体が写っているか否かを判定する。Ｓ１１０４では、解除指示部２０８は、Ｓ１１０３の判定処理の結果に基づいて、解除する必要がある接続があるか否かを判定する。具体手的には、編集された画像データに編集前の画像データに含まれている同一の被写体が含まれていない場合、撮影装置間の接続を解除するための接続解除指示を送信すべきと判定する処理である。
【００４８】
Ｓ１１０３で被写体が写っていないと判定された場合、解除の必要があると判定してもよい。一方、被写体が写っていると判定された場合、解除の必要はないと判定してもよい。解除する必要がある接続があると判定された場合、Ｓ１１０５へ進む。解除する必要がある接続がないと判定された場合、処理を終了する。
【００４９】
Ｓ１１０５では、データ監視部２１０は、該当する画像データの情報を監視リストから削除する。Ｓ１１０６では、解除指示部２０８は、関連する撮影装置へ接続解除の指示を送信する。以上で図１１の処理が終了する。
【００５０】
＜６．撮影装置の表示例＞
図１２は、本発明の一実施形態に係る、接続を確立した撮影装置の表示例を示す図である。撮影装置の表示部に、接続状態の情報（接続中）と共に、接続判定に使われた被写体１０５の情報（画像）が表示されている。また、タッチ式の表示部には手動での接続解除ボタン１２０１が表示されており、ユーザが接続解除ボタン１２０１に触れると、接続中の撮影装置との接続解除処理が実行される。
【００５１】
なお、本実施形態では、撮影装置間の接続の判定に使用した画像データが削除された場合に該当する接続が解除されるように構成されているが、接続の判定に使用されたもの以外の画像データが削除されても接続は維持されてもよい。
【００５２】
また、本実施形態では、情報処理装置１０１の機能をサーバ側に実装するように構成されているが、情報処理装置１０１の機能は撮影装置１０２〜１０４側に実装されてもよい。
【００５３】
また、本実施形態では、情報処理装置が撮影装置のそれぞれへ接続指示、接続解除指示等を通知する例を説明したが、１つの撮影装置へ通知する構成であってもよい。また、被写体が撮影された画像には無線接続の解除の表示を付加し、当該被写体が撮影されていない画像には無線接続の解除の表示を付加しないように構成してもよい。
【００５４】
以上説明したように、本発明の実施形態では、同じ被写体を撮影した装置同士が無線接続した場合に、当該被写体が撮影された画像を削除すると、該無線接続を解除する。これにより、同一の被写体を撮影した装置同士を接続する情報処理装置において、不要になった装置同士の接続を自動で解除できるようになる。また、ユーザの手間を削減したり、接続解除の忘れを防止したりすることが可能になり、ユーザの利便性を向上させることができる。
【００５５】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００５６】
１０１：情報処理装置、１０２，１０３，１０４：撮影装置、１０５：被写体、２０１：通信部、２０２：データ取得部、２０３：データ保存部、２０４：データ比較部、２０６：接続指示部、２０７：被写体判定部、２０８：解除指示部、２１０：データ監視部、２５１：通信部、２５２：撮影部、２５３：削除判定部、２５４：送信判定部、２５５：編集判定部、２５６：接続処理部、２５７：データ監視部、２５８：データ保存部
【図１】
2017017651.tif 000003
【図２】
2017017651.tif 000004
【図３】
2017017651.tif 000005
【図４】
2017017651.tif 000006
【図５】
2017017651.tif 000007
【図６】
2017017651.tif 000008
【図７】
2017017651.tif 000009
【図８】
2017017651.tif 000010
【図９】
2017017651.tif 000011
【図１０】
2017017651.tif 000012
【図１１】
2017017651.tif 000013
【図１２】
2017017651.tif 000014